(57)【要約】      （修正有）【課題】指輪本体を特別な加工を施すことなくペンダントとしてチェーンに容易に取り付けることを可能にした、開閉式の指輪留め具を提供する。【解決手段】チェーン挿入孔を有する指輪留め具本体１とチェーン挿入孔を有する指輪留め具可動部２とを開閉可能に連結し、前記指輪留め具可動部２を開いた状態で指輪Ｒを指輪挿入部４に挿入し、前記指輪留め具可動部２を閉じて前記指輪留め具本体１と前記指輪留め具可動部２を重ね、重なったチェーン挿入孔５にチェーンを通すことで、指輪Ｒを前記チェーンに対して平行に留めることを可能にすることを特徴とする開閉式の指輪留め具。【選択図】図５Ａ
0003188709.tif 000002
【実用新案登録請求の範囲】
【請求項１】
指輪をペンダントに留める開閉式の指輪留め具において、
チェーン挿入孔を有する指輪留め具本体1と、
チェーン挿入孔を有する指輪留め具可動部2とを
開閉可能に連結し、
前記指輪留め具可動部2を開いた状態で指輪Rを指輪挿入部4に挿入し、
前記指輪留め具可動部2を閉じて前記指輪留め具本体1と前記指輪留め具可動部2        を重ねて、
前記指輪留め具本体1と前記指輪留め具可動部2のチェーン挿入孔5が重なった状        態で前記チェーン挿入孔5にチェーンCを通すことで、
指輪Rを前記チェーンCに対して平行に留めることを可能にすることを特徴とする        開閉式の指輪留め具。
【考案の詳細な説明】
【技術分野】
【０００１】
この考案は、例えば環状の指輪等をペンダントに容易に取り付ける開閉式の指輪留め    具である。
【背景技術】
【０００２】
例えば仕事で指輪を身に付けることが出来ない場合に、一時的に前記指輪を前記開閉    式の指輪留め具に取り付けておく場合がある。
【０００３】
その他、異なるサイズの指輪でも前記開閉式の指輪留め具に取り付けて身に付ける再    利用する方法も提案されている。(例えば、特許文献１)
【特許文献１】実用新案登録第３１３２８８７号
【考案の概要】
【考案が解決しようとする課題】
【０００４】
しかしながら文献１の方法では、一対のチェーン取付部とチェーン取付部が離れてい    るため、変形しやすく指輪系止部からずれることも考えれる構成である。
そこで、離れている前記チェーン取付部を近接させ、それを開平することが可能に構    成することにより、変形しにくい開閉式の指輪留め具を提供する。
【課題を解決するための手段】
【０００５】
指輪をペンダントに留める開閉式の指輪留め具において、
チェーン挿入孔を有する指輪留め具本体1と、
チェーン挿入孔を有する指輪留め具可動部2とを開閉可能に連結し、
前記指輪留め具可動部2を開いた状態で指輪Rを指輪挿入部4に挿入し、
前記指輪留め具可動部2を閉じて前記指輪留め具本体1と前記指輪留め具可動部2を重    ねて、
前記指輪留め具本体1と前記指輪留め具可動部2のチェーン挿入孔5が重なった状態で    前記チェーン挿入孔5にチェーンCを通すことで、
指輪Rを前記チェーンCに対して平行に留めることを可能にすることを特徴とする。
【考案の効果】
【０００６】
これにより、指輪に特別な加工を施すことなくペンダントに指輪を容易に取り付ける    ことが可能になる。また、指輪はチェーンに対して平行で前記指挿入孔R2は正面に向    く状態で指輪をペンダントに留められる。
【図面の簡単な説明】
【０００７】
【図１】開閉式の指輪留め具の正面図
【図２】開閉式の指輪留め具の右側面
【図３】開閉式の指輪留め具が閉じた状態の斜視図
【図４】開閉式の指輪留め具が開いた上体の斜視図
【図５Ａ】指輪を指輪挿入部に挿入する前の斜視図
【図５Ｂ】指輪を指輪挿入部の位置に挿入した状態の斜視図
【図６Ａ】開閉式の指輪留め具を閉じてチェーンを通す前の斜視図
【図６Ｂ】開閉式の指輪留め具を閉じてチェーンを通した状態の斜視図
【図７】開閉式の指輪留め具を閉じてチェーンを通した状態の正面図
【考案を実施するための最良の形態】
【０００８】
以下、図面を用いて本願考案の指輪留め具の実施形態を説明する。
【０００９】
図1は開閉式の指輪留具の正面図である。指輪留め具本体1と指輪留め具可動部2と      が、指輪留め具開閉軸3において開閉可能に連結されている。該連結は、たとえば、    指輪留め具可動部2に設けられている円柱状の突起部に、指輪留め具本体1をかしめる    ことにより実現され、指輪留め開閉軸3が構成される（図2）。図示していないが、か    しめられた指輪留め具本体1が抜け落ちないように、該円柱状の突起部3には凹部が設    けられている。
なお、指輪留め具本体1と指輪留め具可動部2と連結手段は、かしめに限られるわけで    はない。
【００１０】
図２は、右側面図になり、前記指輪留め具可動部2の上に前記指輪留め具本体1を交わ    して前記指輪留め具開閉軸3が一番手前に見える状態で、
前記指輪留め具可動部2と前記指輪留め具本体1が重なった状態で前記チェーン挿入孔    5と前記指輪挿入部4が8の字状に見えている状態である。
【００１１】
図３は、前記指輪留め具本体1と前記指輪留め具可動部2を前記指輪留め具開閉軸3で    連結した状態を斜め右上から見た状態である。
【００１２】
図４は、前記指輪留め具本体1から前記指輪留め具可動部2を前記指輪留め具開閉軸3    の軸で可動して前記指輪挿入部4に前記指輪を挿入する状態を示している。
【００１３】
図５Aは、前記指輪留め具本体1から前記指輪留め具可動部2を前記指輪留め具開閉軸3    を回転軸として開いて指輪挿入部4に指輪Rを挿入する前の状態である。
【００１４】
図５Bは、前記指輪挿入部4に指輪Rを挿入した状態である。
【００１５】
図６Aは、前記指輪留め具本体1と前記指輪留め具可動部2が前記指輪留め具開閉軸3を    回転軸として閉じて重ねられ８の字になった状態である。指輪挿入部4に指輪Rが挿入    されており、これからチェーン挿入孔5にチェーンCが挿入されるところである。
【００１６】
図６Bは、前記指輪留め具本体1と前記指輪留め具可動部2が重なりあって指輪挿入部4    に指輪Rを留めた状態である。この状態で、チェーン挿入孔5にチェーンCを通すこと    で指輪留め具可動部2をロックし、指輪Rの脱落を防止することができる。
【００１７】
図７は、(図６B)を正面から見たイメージである。
この図に示すように前記チェーンCと前記指輪Rは平行になり、指挿入孔R2が正面を向    く状態で指輪をペンダントに留めることができる。
【符号の説明】
【００１８】
C・・・チェーン
R・・・指輪
R1・・・指輪本体
R2・・・指挿入孔
1・・・指輪留め具本体
2・・・指輪留め具可動部
3・・・指輪留め具開閉軸
4・・・指輪挿入部
5・・・チェーン挿入孔
【図１】
0003188709.tif 000003
【図２】
0003188709.tif 000004
【図３】
0003188709.tif 000005
【図４】
0003188709.tif 000006
【図５Ａ】
0003188709.tif 000007
【図５Ｂ】
0003188709.tif 000008
【図６Ａ】
0003188709.tif 000009
【図６Ｂ】
0003188709.tif 000010
【図７】
0003188709.tif 000011
【手続補正書】
【提出日】平成25年11月22日(2013.11.22)
【手続補正１】
【補正対象書類名】実用新案登録請求の範囲
【補正対象項目名】全文
【補正方法】変更
【補正の内容】
【実用新案登録請求の範囲】
【請求項１】
指輪をペンダントに留める開閉式の指輪留め具において、
チェーン挿入孔を有する指輪留め具本体(1)と、
チェーン挿入孔を有する指輪留め具可動部(2)とを
開閉可能に連結し、
前記指輪留め具可動部(2)の突起を軸に開いた状態で指輪(R)を指輪挿入部(4)に挿
入し、
前記指輪留め具可動部(2)を閉じて前記指輪留め具本体(1)と前記指輪留め具可動部
(2)を重ねて、
前記指輪留め具本体(1)と前記指輪留め具可動部(2)のチェーン挿入孔(5)が重なっ
た状態で前記チェーン挿入孔(5)にチェーン(C)を通すことで、
指輪(R)を前記チェーン(C)に対して平行に留めることを可能にすることを特徴とす
る開閉式の指輪留め具。